(57)【特許請求の範囲】
【請求項１】
複数本のブリッスルを束ねてなるタフトが植毛台に複数植設されている歯ブラシであって、
前記植毛台の幅方向中央部分に植設された、前記植毛台の長手方向に延びる中央タフト列を２列備えており、該２列の中央タフト列を構成するタフトの植毛穴は、前記植毛台の幅方向の幅が２ｍｍ以上となっており、
且つ前記中央タフト列を構成する各タフトは、前記植毛台の長手方向から見て、前記植毛台の幅方向中央側から外側に向けて、中央側が高く外側が低くなるよう片側に傾斜する片流れの先端形状を有していると共に、前記植毛台の短手方向から見て、各タフトの中央部から両側に向けて低くなった山形の先端形状を有しており、
２列の前記中央タフト列の外側に植設される外側タフト列を構成するタフトは、前記中央タフト列を構成するタフトよりも低い高さで植設されており、
２列の前記中央タフト列を構成するタフトは、前記植毛台の短手方向から見て、互いに重なるように配置されて植設されており、
前記外側タフト列を構成するタフトと、該外側タフト列と隣接する２列の前記中央タフト列を構成するタフトとは、千鳥状に配置されて植設されており、
前記植毛台の短手方向から見て、２列の前記中央タフト列を構成する高さが高いタフトと前記外側タフト列を構成する高さが低いタフトが、交互に植設されて、２列の前記中央タフト列と前記外側タフト列によって凸凹が形成されている歯ブラシ。
【請求項２】
前記中央タフト列を構成する各タフトの先端形状の、前記植毛台の長手方向から見た片流れの傾斜角度が、前記植毛台の植毛面と平行な面に対して１５〜４５°の角度となっている請求項１記載の歯ブラシ。
【請求項３】
前記中央タフト列及び前記外側タフト列において、前記植毛穴は、前記植毛台の長手方向に２．５〜６ｍｍの中心間ピッチで連設配置されて形成されている請求項１又は２記載の歯ブラシ。
【請求項４】
前記中央タフト列の外側に植設される外側タフト列を構成するタフトは、前記植毛台の長手方向から見て、前記植毛台の幅方向中央側から外側に向けて、中央側が高く外側が低くなるよう片側に傾斜する片流れの先端形状を有している請求項１〜３のいずれか１項記載の歯ブラシ。
【請求項５】
前記中央タフト列を構成するタフトは、基端部における前記植毛台の幅方向の幅が２ｍｍ以上３ｍｍ以下の大径タフトとなっている請求項１〜４のいずれか１項記載の歯ブラシ。
【請求項６】
前記中央タフト列を構成するタフトの最も高い毛丈と、前記外側タフト列を構成するタフトの最も高い毛丈との長さの差が０．５〜５ｍｍである請求項１〜５のいずれか１項記載の歯ブラシ。
【発明の詳細な説明】
【技術分野】
【０００１】
本発明は、複数本のブリッスルを束ねてなるタフトが植毛台に複数植設されている歯ブラシに関する。
【背景技術】
【０００２】
歯ブラシは、複数本のブリッスルを束ねてなるタフトを、例えば植毛台の植毛面に形成された複数の植毛穴に、平線を打ち込む方法や熱で融着させる方法等によって植設固定することにより形成される。また、歯ブラシは、前歯、奥歯等の歯の種類や、歯間部、歯面部、歯頸部、歯裏部等の歯の部位に応じた適切な刷掃を効率良く行って、歯垢等を効果的に除去できるように、また刷掃時に良好な感触が得られるように、毛束の配置やブリッスルの毛先の形状等に様々な工夫がなされている。
【０００３】
例えば、複数のタフトによる先端ブラシ面の形状が、植毛台の長手方向から見て、植毛台の幅方向中央側から外側に向けて、中央側が高く外側が低くなるよう山形に形成された歯ブラシが開発されている（例えば、特許文献１の図６参照）。一方、植毛台に植設された各タフトの先端形状が、植毛台の短手方向から見て、中央部から両側に向けて低くなった山形の形状を有している歯ブラシが開発されている（例えば、特許文献２の図９参照）。
【０００４】
これらの歯ブラシによれば、先端ブラシ面やタフトの先端が、いわゆる山切りカットされていることで、先端ブラシ面やタフトの先端を平らな面にカットした平切りのものと比較して、毛先が、歯間部等の狭い部位のより深い位置まで到達し易くなっている。
【先行技術文献】
【特許文献】
【０００５】
【特許文献１】特開２０００−１１８号公報
【特許文献２】特開２００１−２１８６２３号公報
【発明の概要】
【発明が解決しようとする課題】
【０００６】
しかしながら、上記従来の歯ブラシでは、先端ブラシ面やタフトの先端が山切りカットされていることで、歯間部等の狭い部位のより深い位置まで、ブリッスルの毛先が到達し易くなっている一方で、タフトが大径タフトである場合は、歯間部等の狭い部位に多くのブリッスルが集中してしまい、ブリッスルの毛先が深い位置まで到達するのをかえって阻害することになると共に、例えば下顎前歯裏側の歯ぐきのキワのような、歯間部に歯ぐきが大きく切れ込んだ部位にフィットし難くなる。
【０００７】
本発明は、大径タフトによるコシの強さを保持しつつ、歯間部等の狭い部位の深い位置の歯面や、歯ぐきのキワの歯面までブリッスルの毛先を到達し易くして、例えば顎前歯裏側の歯ぐきのキワのような、歯間部に歯ぐきが大きく切れ込んだ部位にも毛先をしっかりと当たらせることで、歯垢除去効果を全体的に高めることのできる歯ブラシを提供することを目的とする。
【課題を解決するための手段】
【０００８】
本発明は、複数本のブリッスルを束ねてなるタフトが植毛台に複数植設されている歯ブラシであって、前記植毛台の幅方向中央部分に植設された、前記植毛台の長手方向に延びる中央タフト列を２列備えており、該２列の中央タフト列を構成するタフトの植毛穴は、前記植毛台の幅方向の幅が２ｍｍ以上となっており、且つ前記中央タフト列を構成する各タフトは、前記植毛台の長手方向から見て、前記植毛台の幅方向中央側から外側に向けて、中央側が高く外側が低くなるよう片側に傾斜する片流れの先端形状を有していると共に、前記植毛台の短手方向から見て、各タフトの中央部から両側に向けて低くなった山形の先端形状を有している歯ブラシを提供することにより、上記目的を達成したものである。
【発明の効果】
【０００９】
本発明の歯ブラシによれば、大径タフトによるコシの強さを保持しつつ、歯間部等の狭い部位の深い位置の歯面や、歯ぐきのキワの歯面までブリッスルの毛先を到達し易くして、例えば顎前歯裏側の歯ぐきのキワのような、歯間部に歯ぐきが大きく切れ込んだ部位にも毛先をしっかりと当たらせることで、歯垢除去効果を全体的に高めることができる。
【図面の簡単な説明】
【００１０】
【図１】本発明の好ましい一実施形態に係る歯ブラシの要部を示す、植毛台の短手方向から見た略示側面図である。
【図２】本発明の好ましい一実施形態に係る歯ブラシの要部を示す、略示平面図である。
【図３】本発明の好ましい一実施形態に係る歯ブラシの要部を示す、植毛台の長手方向から見た略示正面図である。
【図４】実施例２の歯ブラシを説明する、植毛台の長手方向から見た略示正面図である。
【図５】比較例１の歯ブラシを説明する、（ａ）は植毛台の短手方向から見た略示側面図、（ｂ）は略示平面図、（ｃ）は植毛台の長手方向から見た略示正面図である。
【図６】比較例２の歯ブラシを説明する、（ａ）は植毛台の短手方向から見た略示側面図、（ｂ）は略示平面図、（ｃ）は植毛台の長手方向から見た略示正面図である。
【発明を実施するための形態】
【００１１】
図１〜図３に示す本発明の好ましい一実施形態に係る歯ブラシ１０は、把持部（図示せず）と植毛台１１とこれらを連結する首部１２とからなる歯ブラシ本体の植毛台１１に形成された複数の植毛穴１３ａ，１３ｂに、複数本のブリッスル１４ａ，１４ｂを束ねてなるタフト（毛束）１５ａ，１５ｂを各々植毛（植設）することによって構成される。本実施形態の歯ブラシ１０は、植毛台１１の幅方向中央部分に植設された中央タフト１５ａが植毛台１１の幅方向の幅が２ｍｍ以上と大径タフトになっていることで、そのコシの強さによって、歯面に対する十分な歯垢除去機能を発揮できるようになっていると共に、該中央タフト１５ａの先端形状を、後述する所定の形状としたことで、歯間部等の狭い部位の深い位置の歯面にも、歯ぐきのキワの歯面にも、中央ブリッスル１４ａの毛先をしっかりと当たらせて、歯垢除去効果を全体的に高めることができるようになっている。
【００１２】
そして、本実施形態の歯ブラシ１０は、複数本のブリッスル１４ａ，１４ｂを束ねてなるタフト１５ａ，１５ｂが植毛台１１に複数植設されている歯ブラシであって、図１〜図３に示すように、植毛台１１の幅方向中央部分に植設された、植毛台１１の長手方向に延びる中央タフト列１６ａを２列備えており、これらの２列の中央タフト列１６ａを構成するタフト（中央タフト）１５ａの植毛穴（中央植毛穴）１３ａは、植毛台１１の幅方向の幅ｂが２ｍｍ以上となっている（図２参照）。また、中央タフト列１６ａを構成する各中央タフト１５ａは、植毛台１１の長手方向から見て、植毛台１１の幅方向中央側から外側に向けて、中央側が高く外側が低くなるよう片側に傾斜する片流れの先端形状を有していると共に（図３参照）、植毛台１１の短手方向から見て、各中央タフト１５ａの中央部から両側に向けて低くなった山形の先端形状を有している（図１参照）。
【００１３】
また、本実施形態の歯ブラシ１０は、中央タフト列１６ａの外側に植設される外側タフト列１６ｂを構成するタフト（外側タフト）１５ｂは、中央タフト列１６ａを構成する中央タフト１５ａよりも低い高さで植設されている。
【００１４】
本実施形態では、歯ブラシ本体は、例えばポリプロピレン、アクリロニトリル、ブタジエン、スチレン共重合合成樹脂等の合成樹脂からなる公知のものである。歯ブラシ本体の先端部分を構成する植毛台１１の平坦な植毛面には、好ましくは４箇所の角部が弧状に面取りされた、略正方形又は略菱形状の開口形状を有する複数の植毛穴１３ａ，１３ｂが、これらの一方の対角方向を植毛台１１の長手方向に配すると共に、当該長手方向に延びる４列に分散配置されて開口形成されている（図２参照）。すなわち、植毛台１１の幅方向中央部分に配置された、２列の中央植毛穴１３ａには、中央タフト１５ａが各々植設されて、植毛台１１の長手方向に延びる２列の中央タフト列１６ａを構成している。植毛台１１の幅方向外側部分に配置された、各１列の外側植毛穴１３ｂには、外側タフト１５ｂが各々植設されて、植毛台１１の長手方向に延びる各１列の外側タフト列１６ｂを構成している。
【００１５】
また、本実施形態では、各中央植毛穴１３ａは、略正方形の開口形状の植毛台１１の幅方向の幅ｂが、２ｍｍ以上、且つ、植毛台１１の長手方向の幅ｃが、２ｍｍ以上となっていることで、これらの中央植毛穴１３ａに植設される中央タフト１５ａは、大径タフトとなっている。
【００１６】
さらに、本実施形態では、各々の中央タフト列１６ａや外側タフト列１６ｂにおいて、植毛穴１３ａ，１３ｂは、植毛台１１の長手方向に例えば２．５〜６ｍｍ程度の中心間ピッチP1で連設配置されて形成されている。２列の中央タフト列１６ａの各中央植毛穴１３ａは、植毛台１１の短手方向に例えば２．５〜４ｍｍ程度の中心間ピッチP2で配置されて形成されている。これによって、２列の中央タフト列１６ａを構成する中央タフト１５ａは、植毛台１１の短手方向から見て、互いに重なるように、より好ましくは、短手方向に並んで配置されて中央植毛穴１３ａに各々植設されている。
【００１７】
さらにまた、本実施形態では、両側の外側タフト列１６ｂを構成する外側植毛穴１３ｂは、各外側タフト列１６ｂと隣接する中央タフト列１６ａを構成する中央植毛穴１３ａの、植毛台１１における長手方向の各中間部分に配置されて、各々形成されている。これによって、外側タフト列１６ｂを構成する外側タフト１５ｂと、この外側タフト列１６ｂと隣接する中央タフト列１６ａを構成する中央タフト１５ａとは、千鳥状に配置されて各々植設されることになる。
【００１８】
本実施形態では、中央植毛穴１３ａに植設される中央タフト１５ａや外側植毛穴１３ｂに植設される外側タフト１５ｂは、例えばナイロン等の合成樹脂からなる例えば５〜９ｍｉｌ程度の太さを有するフィラメント材であるブリッスル１４ａ，１４ｂを、４０本〜４００本束ねることによって得られる。中央タフト１５ａは中央植毛穴１３ａに、平線植毛や融着植毛によって植設されて、中央タフト列１６ａを形成すると共に、外側タフト１５ｂは外側植毛穴１３ｂに、平線植毛や融着植毛によって植設されて、外側タフト列１６ｂを形成する。
【００１９】
なお、本実施形態では、中央タフト１５ａや外側タフト１５ｂを構成するブリッスル１４ａ，１４ｂは、その先端部がラウンド形状となっているものの他、テーパー形状等、その他の種々の先端形状を備えているものであっても良い。
【００２０】
そして、本実施形態では、中央タフト列１６ａを構成する中央タフト１５ａは、上述のように、植毛台１１の幅方向の幅ｂが２ｍｍ以上３ｍｍ以下の略正方形の開口形状を有する中央植毛穴１３ａに植設されていることにより、基端部における植毛台１１の幅方向の幅が２ｍｍ以上３ｍｍ以下の大径タフトとなっている。また中央タフト１５ａは、植毛台１１の植毛面から好ましくは垂直又は略垂直に立設して、例えば８〜１２ｍｍ程度の高さ（毛丈）となるように植設されると共に、各々、図３に示すように、植毛台１１の長手方向から見て、植毛台１１の幅方向中央側から外側に向けて、中央側が高く外側が低くなるよう片側に傾斜する、片流れの先端形状を有するように植設されている。
【００２１】
ここで、中央タフト列１６ａを構成する各中央タフト１５ａの、植毛台１１の長手方向から見て、植毛台１１の幅方向中央側から外側に向けて、中央側が高く外側が低くなるよう片側に傾斜する片流れの先端形状の、傾斜角度θは、植毛台１１の植毛面と平行な面に対して１５〜４５°の角度となっていることが好ましい。各中央タフト１５ａの先端形状の片流れの傾斜角度θが１５〜４５°となっていることにより、各中央タフト１５ａの中央側のブリッスル１４ａが長くなって、当該中央側のブリッスル１４ａに力が優先してかかりやすくなると共に、中央側のブリッスル１４ａの外側への動きが外側のブリッスル１４ａによって制限されるため、行き場の無くなった中央側のブリッスル１４ａは隙間の奥に向かいやすくなる。その結果、歯間部等の狭い部位の深い位置の歯面をしっかり磨くことが可能になる。一方、傾斜角度θが１５°より大きいことで、各中央タフト１５ａのブリッスル１４ａの長さの長短が大きくなり、力が特定のブリッスル１５ａだけにかりやすくなるため、歯列の凸凹にフィットしやすくなる。また、傾斜角度θが４５°より小さいことで、特定のブリッスル１４ａ以外にも適度に力がかかりやすくなるため、安定して磨くことが可能になる。
【００２２】
さらに、本実施形態では、中央タフト１５ａは、各々、図１に示すように、植毛台１１の短手方向から見て、各中央タフト１５ａの中央部から両側に向けて低くなった、山形の先端形状を有するように植設されている。また本実施形態では、植毛台１１の短手方向から見た各中央タフト１５ａの先端形状は、外側に凸に湾曲する弧状先端傾斜縁部１７を介して、中央部から両側に向けて徐々に低くなっていることが好ましい。
【００２３】
本実施形態では、外側タフト列１６ｂを構成する外側タフト１５ｂは、植毛台１１の幅方向の幅ｂ’が２ｍｍ以上の略正方形の開口形状を有する外側植毛穴１３ｂに植設されていることにより、中央タフト１５ａと同様に、基端部における植毛台１１の幅方向の幅が２ｍｍ以上の大径タフトとなっている。また外側タフト１５ｂの最も高い毛丈は、植毛台１１の植毛面から例えば垂直又は略垂直に立設して、好ましくは中央タフト１５ａの最も高い毛丈よりも低い、例えば６〜１０ｍｍ程度の高さ（毛丈）となるように植設されている。さらに、本実施形態では、外側タフト１５ｂは、図３に示すように、植毛台１１の長手方向から見て、植毛台１１の幅方向中央側から外側に向けて、中央側が高く外側が低くなるよう片側に傾斜する、片流れの先端形状を有するように植設されている。中央タフト１５ａの最も高い毛丈と、外側タフト１５ｂの最も高い毛丈との長さの差は、好ましくは０．５〜５ｍｍであり、より好ましくは１〜４ｍｍであり、さらに好ましくは２〜３ｍｍである。このように、単一のタフト中において、毛丈に差を設けることで、四面研削時に、植毛高さの高いブリッスル群に、植毛高さの低いブリッスル群よりも、先端側先細り部の断面の形状が略正方形、略平行四辺形又は略矩形となっているブリッスルが多く含まれ、その結果、歯間部の奥部や歯周ポケット、歯ぐきの境目等の狭い隙間に入り易くなることで、これらの狭い隙間の汚れを効果的に掻き取ることが可能になると共に、硬くないソフトで優しい感触を得ることが可能になる。
【００２４】
外側タフト１５ｂが中央タフト１５ａよりも低い高さで植設されていることにより、中央タフト１５ａに力が優先してかかりやすくなると共に、中央タフト１５ａの外側への動きが外側タフト１５ｂによって制限されるため、行き場の無くなった中央タフト１５ａは隙間の奥に向かいやすくなる。その結果、歯間部等の狭い部位の深い位置の歯面を、しっかり磨くことが可能になる。
【００２５】
また、外側タフト１５ｂが、植毛台１１の幅方向中央側から外側に向けて、片側に傾斜する片流れの先端形状を有していることにより、外側タフト１５ｂの中央側のブリッスル１４ｂに力が優先してかかりやすくなると共に、中央側のブリッスル１４ｂの外側への動きが外側のブリッスル１４ｂによって制限されるため、行き場の無くなった中央側のブリッスル１４ｂは隙間の奥に向かいやすくなる。その結果、歯間部等の狭い部位の深い位置の歯面を、しっかり磨くことが可能になる。外側タフト１５ｂにおける、植毛台１１の長手方向から見て、植毛台１１の幅方向中央側から外側に向けて、中央側が高く外側が低くなるよう片側に傾斜する片流れの先端形状の傾斜角度θ’は、中央タフト１５ａにおける、先端形状の傾斜角度θと同様に、１５〜４５°となっていることが好ましい。
【００２６】
そして、上述の構成を備える本実施形態の歯ブラシ１０によれば、植毛台の幅方向の幅が２ｍｍ以上と大径タフトとなっている中央タフト１５ａによるコシの強さを保持しつつ、歯間部等の狭い部位の深い位置までブリッスル１４ａの毛先を到達し易くして、歯間部等の狭い部位の深い位置の歯面にも、歯ぐきのキワの歯面にも、毛先をしっかりと当たらせることで、歯垢除去効果を全体的に高めることが可能になる。
【００２７】
すなわち、本実施形態の歯ブラシ１０によれば、２列の中央タフト列１６ａを構成する植毛台の幅方向の幅が２ｍｍ以上と大径タフトとなっている中央タフト１５ａは、植毛台１１の長手方向から見て、植毛台１１の幅方向中央側から外側に向けて、中央側が高く外側が低くなるよう片側に傾斜する片流れの先端形状を有していると共に、植毛台１１の短手方向から見て、各中央タフト１５ａの中央部から両側に向けて低くなった山形の先端形状を有している。
【００２８】
これによって、中央タフト１５ａが植毛台の幅方向の幅が２ｍｍ以上と大径タフトとなっていても、中央タフト１５ａ内のブリッスル１４ａに適切な高低差があることによって、歯間部等の狭い部位に多くのブリッスル１４ａが集中しにくくなって、歯間部等の狭い部位のより深い位置までブリッスル１４ａの毛先が到達し易くなるので、狭い部位の歯面をしっかりと磨くことが可能になる。また、各中央タフト１５ａは、植毛台１１の短手方向から見て山形の先端形状を有しているので、特に歯石が形成され易い下顎前歯裏側の歯ぐきのキワのような、歯間部に歯ぐきが大きく切れ込んだ部位にフィットし易くなって、歯石の元となる歯垢を効果的に除去することが可能になる。これらによって、歯間部等の狭い部位の深い位置の歯面にも、歯ぐきのキワの歯面にも、中央タフト１５ａの毛先がしっかりと当たることになると共に、毛先が歯列に効率良く密着することになるので、全体的に歯垢除去効果を向上させた歯ブラシ１０が得られることになる。
【００２９】
また、本実施形態の歯ブラシ１０によれば、２列の中央タフト列１６ａを構成する中央タフト１５ａは、植毛台１１の短手方向から見て互いに重なるように配置されていると共に、外側タフト列１６ｂを構成する外側タフト１５ｂと、この外側タフト列１６ｂと隣接する中央タフト列１６ａを構成する中央タフト１５ａとは、植毛台１１の長手方向の位置をずらして千鳥状に配置されているので、短手方向から見ると、高さが高い中央タフト１５ａと高さが低い外側タフト１５ｂが交互に植設されて、ブラシ全体で大きな凸凹が形成されることになるので、下顎前歯裏側の歯ぐきのキワのような、歯間部に歯ぐきが大きく切れ込んだ部位によりフィットし易くなる。
【００３０】
なお、本発明は上記実施形態に限定されることなく種々の変更が可能である。例えば、外側タフト列１６ｂを構成する外側タフト１５ｂの植毛穴（中央植毛穴）１３ｂは、基端部における植毛台１１の幅方向の幅ｂが２ｍｍ未満であっても良い。中央タフトや外側タフトの植毛穴は、略円形や円形の開口形状を有していても良い。楕円形状、長円形状、矩形形状等のその他の種々の開口形状を備えていても良い。
【実施例】
【００３１】
以下、実施例及び比較例により、本発明の歯ブラシをさらに詳細に説明するが、本発明はこれらに限定されるものではない。
【００３２】
上記第１実施形態の歯ブラシと同様の構成を備える歯ブラシを実施例１の歯ブラシとした。なお、実施例１の歯ブラシでは、中央植毛孔１３ａ及び外側植毛孔１３ｂは、１．８×１．８ｍｍ（ｒ＝０．５ｍｍ）の略正方形を４５°回転させた略菱形状（幅ｂ＝２．１３ｍｍ）とした。また、中央植毛孔１３ａと外側植毛孔１３ｂの長手方向の中心間ピッチP1は４．２ｍｍとし、２列に並んだ中央植毛孔１３ａの中心間ピッチP2は３．０ｍｍとした。中央タフト１５ａを構成するブリッスル１４ａの太さは０．２０ｍｍとし、外側タフト１５ｂを構成するブリッスル１４ｂの太さは０．１８ｍｍとした。各中央タフト１５ａと各外側タフト１５ｂの先端形状の片流れの傾斜角度θ，θ’は２０°とした。中央タフト１５ａの最も長い部分の毛丈は１０．５ｍｍとし、外側タフト１５ｂの最も短い部分の毛丈は８．０ｍｍとした。
【００３３】
図４に示す構成を備える歯ブラシを実施例２の歯ブラシとした。なお、実施例２の歯ブラシでは、外側タフトの先端形状の片流れの傾斜角度θ’を０°として揃えたこと以外は、実施例１の歯ブラシと同様の構成とした。
【００３４】
図５（ａ），（ｂ），（ｃ）に示す構成を備える歯ブラシを比較例１の歯ブラシとした。なお、比較例１の歯ブラシでは、植毛孔は全て植毛台の短手方向に長い１．８×１．４ｍｍの長方形となっている。また、各植毛孔の長手方向の中心間ピッチは２．８ｍｍで、短手方向の中心間ピッチは２．１ｍｍとなっている。各タフトを構成するブリッスルの太さは０．２０ｍｍあるいは０．１８ｍｍで、短手方向から見て、０．２０ｍｍのタフトと０．１８ｍｍのタフトが交互に配置されている。また、各タフトの先端は、短手方向から見て、中央部から両側に向けて低くなった山形の先端形状を有し、ブリッスルの最長部と最短部の高低差は約２．０ｍｍである。山形のタフト先端からなる全体のブラシ面は、短手方向から見て、中央部から両側に向けて高くなった凹形の形状を有し、最長部は１０．５ｍｍ、最短部は９．０ｍｍである。
【００３５】
図６（ａ），（ｂ），（ｃ）に示す構成を備える歯ブラシを比較例２の歯ブラシとした。なお、比較例２の歯ブラシでは、植毛孔は全て１．６ｍｍの円形となっている。また、各植毛孔の長手方向の中心間ピッチは２．６ｍｍで、短手方向の中心間ピッチは、中央２列間で２．２ｍｍ、中央−外側間で１．９ｍｍとなっている。各タフトを構成するブリッスルの太さは、中央タフトで０．２０ｍｍ、外側タフトで０．１８ｍｍとなっている。また、全体のブラシ面は、長手方向から見て、中央部から両側に向けて低くなったドーム形の形状を有し、最長部は１０．０ｍｍ、最短部は８．５ｍｍである。
【００３６】
実施例１、実施例２、比較例１、及び比較例２の歯ブラシについて、下記の方法によって歯垢除去率を評価した。評価結果を表１に示す。
【００３７】
〔歯垢除去率の評価方法〕
ブラッシングマシーンの条件
荷重  ２００ｇ
速度  １２０ｒｐｍ
振幅  ３０ｍｍ
回数  ５回
モデルとして、標準顎模型（上顎奥歯頬側）を用い、歯垢モデルとしてアルコール系インク（コクヨ製ホワイトボードマーカー）を歯表面全体に塗布し３分間放置した。上記のブラッシングマシーンの条件により標準顎模型の第１小臼歯から第１大臼歯までについてブラッシングを行った後、２箇所の歯間部（歯間乳頭部を中心に２ｍｍ×５ｍｍ四方）について画像処理を行い、実施例１，２、比較例１，２の歯ブラシによるブラッシング後のインクがない（着色されていない領域の）面積を求め、全体の面積に対する割合を求めた。
表１が示すように、実施例１，２の歯ブラシは高い歯垢除去率が得られた。また、実施例１，２の歯ブラシは歯間部において高い歯垢除去率が得られた。
【００３８】
【表１】
0005922420.tif 000002
【符号の説明】
【００３９】
１０  歯ブラシ
１１  植毛台
１２  首部
１３ａ  中央植毛穴
１３ｂ  外側植毛穴
１４ａ，１４ｂ  ブリッスル
１５ａ  中央タフト
１５ｂ  外側タフト
１６ａ  中央タフト列
１６ｂ  外側タフト列
１７  弧状先端傾斜縁部
θ    中央タフトの片流れの先端形状の傾斜角度
θ’  外側タフトの片流れの先端形状の傾斜角度
【図１】
0005922420.tif 000003
【図２】
0005922420.tif 000004
【図３】
0005922420.tif 000005
【図４】
0005922420.tif 000006
【図５】
0005922420.tif 000007
【図６】
0005922420.tif 000008